(57)【要約】【課題】サーカディアンリズムを整える生体作用効果と肌見えの良さとの両立が可能となる光源モジュール及び照明装置を提供する。【解決手段】光源モジュール１０は、互いの発光スペクトルが異なる第１発光装置１、第２発光装置２及び第３発光装置３を備える。光源モジュール１０は、第１発光装置１から出射される光と第２発光装置２から出射される光とが合成された第１合成光の分光分布から計算される、メラトニン分泌抑制効果を示す生体作用度（ＤＩＮ）が、０．８５以上であり、第１合成光の相関色温度が、５０００Ｋ以上７１００Ｋ以下であり、第１合成光の分光分布から計算される、肌色の好ましさ指数（ＰＳ）が６０以上であり、第２発光装置２から出射される光と第３発光装置３から出射される光とが合成された第２合成光の分光分布から計算される、ＤＩＮが、０．２５以下であり、第２合成光の相関色温度が、２０００Ｋ以上３２５０Ｋ以下である。【選択図】図１
2015088241.tif 000002
【特許請求の範囲】
【請求項１】
互いの発光スペクトルが異なる第１発光装置、第２発光装置及び第３発光装置を備え、
前記第１発光装置は、第１固体発光素子と、前記第１固体発光素子から放射された光の一部を波長変換して異なる波長の光を放射する第１波長変換材料を含む第１波長変換部と、を備え、
前記第２発光装置は、第２固体発光素子と、前記第２固体発光素子から放射された光の一部を波長変換して異なる波長の光を放射する第２波長変換材料を含む第２波長変換部と、を備え、
前記第３発光装置は、第３固体発光素子と、前記第３固体発光素子から放射された光の一部を波長変換して異なる波長の光を放射する第３波長変換材料を含む第３波長変換部と、を備え、
前記第１発光装置から出射される光と前記第２発光装置から出射される光とが合成された第１合成光の分光分布から下記（１）式で計算される、メラトニン分泌抑制効果を示す生体作用度（ＤＩＮ）が、少なくとも０．８５であり、
前記第１合成光の相関色温度が、５０００Ｋ以上７１００Ｋ以下であり、
前記第１合成光の分光分布から計算される、肌色の好ましさ指数（ＰＳ）が少なくとも６０であり、
前記第２発光装置から出射される光と前記第３発光装置から出射される光とが合成された第２合成光の分光分布から下記（１）式で計算される、メラトニン分泌抑制効果を示す生体作用度（ＤＩＮ）が、０．２５以下であり、
前記第２合成光の相関色温度が、２０００Ｋ以上３２５０Ｋ以下であり、
【数１】
2015088241.tif 000008
ここで、Ｓ（λ）は、前記第１合成光又は前記第２合成光の分光分布、Ａ（λ）は、メラトニン分泌抑制の作用関数、Ｖ（λ）は、比視感度である、
ことを特徴とする光源モジュール。
【請求項２】
前記第１合成光の相関色温度が、６０００Ｋ以上７１００Ｋ以下であることを特徴とする請求項１に記載の光源モジュール。
【請求項３】
前記第１合成光の前記ＰＳが、少なくとも８０であることを特徴とする請求項１または請求項２に記載の光源モジュール。
【請求項４】
前記第１合成光の平均演色評価数Ｒａが、少なくとも８５であることを特徴とする請求項１乃至３のいずれか一項に記載の光源モジュール。
【請求項５】
前記第１合成光の色度座標の黒体放射軌跡からの偏差（ｄuv）を１０００倍した値（ＤUV＝１０００ｄuv）が、−５から＋２の範囲であることを特徴とする請求項１乃至４のいずれか一項に記載の光源モジュール。
【請求項６】
前記第１合成光の分光分布は、４００ｎｍ〜４７０ｎｍの範囲に第１のピーク波長を有し、４７１ｎｍ〜５５０ｎｍの範囲に第２のピーク波長を有し、５５１ｎｍ〜６７０ｎｍの範囲に第３のピーク波長を有し、
前記第２のピーク波長と前記第３のピーク波長との間隔が８０ｎｍ〜１２０ｎｍの範囲であることを特徴とする請求項１乃至５のいずれか一項に記載の光源モジュール。
【請求項７】
前記第２合成光の相関色温度が、２０００Ｋ以上２５００Ｋ以下であることを特徴とする請求項１乃至６のいずれか一項に記載の光源モジュール。
【請求項８】
前記第２合成光の分光分布から計算される、肌色の好ましさ指数（ＰＳ）が少なくとも８０であることを特徴とする請求項１乃至７のいずれか一項に記載の光源モジュール。
【請求項９】
前記第２合成光の平均演色評価数Ｒａが、少なくとも８０であることを特徴とする請求項１乃至８のいずれか一項に記載の光源モジュール。
【請求項１０】
前記第２合成光の色度座標の黒体放射軌跡からの偏差（ｄuv）を１０００倍した値（ＤUV＝１０００ｄuv）が、−５から＋２の範囲であることを特徴とする請求項１乃至９のいずれか一項に記載の光源モジュール。
【請求項１１】
前記第２合成光の分光分布は、４００ｎｍ〜４７０ｎｍの範囲に第１のピーク波長を有し、５５１ｎｍ〜６７０ｎｍの範囲に第２のピーク波長を有することを特徴とする請求項１乃至１０のいずれか一項に記載の光源モジュール。
【請求項１２】
前記第１波長変換部は、前記第１波長変換材料と、可視光を透過する第１透光性材料と、の混合体で形成され、前記第１固体発光素子を覆っており、
前記第２波長変換部は、前記第２波長変換材料と、可視光を透過する第２透光性材料と、の混合体で形成され、前記第２固体発光素子を覆っており、
前記第３波長変換部は、前記第３波長変換材料と、可視光を透過する第３透光性材料と、の混合体で形成され、前記第２固体発光素子を覆っている、
ことを特徴とする請求項１乃至１１のいずれか一項に記載の光源モジュール。
【請求項１３】
前記第１固体発光素子、前記第２固体発光素子及び前記第３固体発光素子は、４００ｎｍ〜４７０ｎｍの範囲にピーク波長を有する発光ダイオードであることを特徴とする請求項１乃至１２のいずれか一項に記載の光源モジュール。
【請求項１４】
前記第１波長変換材料は、４７１ｎｍ〜５５０ｎｍの範囲にピーク波長を有する青緑色蛍光体を含み、
前記第２波長変換材料は、５５１ｎｍ〜６００ｎｍの範囲にピーク波長を有する黄緑色蛍光体と、５５１ｎｍ〜６７０ｎｍの範囲にピーク波長を有する赤色蛍光体と、を含み、
前記第３波長変換材料は、６３０ｎｍ〜６７０ｎｍの範囲にピーク波長を有する赤色蛍光体を含むことを特徴とする請求項１乃至１３のいずれか一項に記載の光源モジュール。
【請求項１５】
請求項１乃至１４のいずれか一項に記載の光源モジュールを複数、備え、
電源から前記複数の前記光源モジュールへの供給電力を制御する制御部と、時刻を設定する時刻設定部と、前記時刻設定部により設定された時刻と前記制御部における制御内容との関係を規定したタイムスケジュールを記憶する記憶部と、時刻を計時する時計部と、を備え、
前記時刻設定部で設定する時刻としては、起床時刻と、就寝時刻と、があり、
前記制御部は、前記時計部により計時された現在の時刻と前記記憶部に記憶されているタイムスケジュールとに基づいて、前記時刻設定部で設定された起床時刻よりも所定時間だけ前の時刻から夕刻の間は主として前記第１合成光が出射されるように前記複数の前記光源モジュールを点灯させ、夕刻から前記時刻設定部で設定された就寝時刻までは主として前記第２合成光が出射されるように前記複数の前記光源モジュールを点灯させることを特徴とする照明装置。
【請求項１６】
前記第１合成光と前記第２合成光との合成光が白色光であり、
前記白色光は、相関色温度が２０００Ｋ以上７１００Ｋ以下であり、前記白色光の分光分布から計算される、肌色の好ましさ指数（ＰＳ）が少なくとも６０であり、平均演色評価数Ｒａが少なくとも８５であることを特徴とする請求項１５に記載の照明装置。
【請求項１７】
前記白色光の前記ＰＳが少なくとも８０であることを特徴とする請求項１６に記載の照明装置。
【請求項１８】
前記第１合成光のＤuvと前記第２合成光のＤuvとの一方が正の値で他方が負の値であることを特徴とする請求項１５乃至１７のいずれか一項に記載の照明装置。
【発明の詳細な説明】
【技術分野】
【０００１】
本発明は、固体発光素子を備えた光源モジュール及び照明装置に関するものである。
【背景技術】
【０００２】
従来、照明システムとして、光源を備えた照明装置と、制御装置と、照度センサと、からなり、サーカディアンリズム（circadian rhythm）に基づいて、光源の色温度及び照度を制御する照明システムが提案されている（特許文献１）。
【０００３】
特許文献１には、照明装置の光源としてＬＥＤ（light emitting diode）を使用することができる旨が記載されている。
【０００４】
また、照明装置としては、互いに色温度の異なる２種類のＬＥＤモジュールを備えたものが提案されている（特許文献２）。
【０００５】
特許文献２に記載された照明装置は、２種類のＬＥＤモジュールのうちの昼光色のＬＥＤモジュールの色温度が６７００Ｋ程度、電球色のＬＥＤモジュールの色温度が２７００Ｋ程度に設定されている。また、特許文献２には、２４時間の人の生体リズムとの相関関係に基づいて昼光色のＬＥＤモジュールと電球色のＬＥＤモジュールとの調光率を調整することが記載されている。この照明装置では、起床時刻から夕食時刻の１時間前までの間、昼光色のＬＥＤモジュールのみを１００％の調光率で点灯させ、夕食時刻から就寝時刻の２時間前までの間、電球色のＬＥＤモジュールのみを１００％の調光率で点灯させる。この照明装置は、１つの昼光色のＬＥＤモジュールと１つの電球色のＬＥＤモジュールとの組を複数組、備えている。
【先行技術文献】
【特許文献】
【０００６】
【特許文献１】特開２０１１−２３３３９号公報
【特許文献２】国際公開ＷＯ２０１１／１３６００７  Ａ１
【発明の概要】
【発明が解決しようとする課題】
【０００７】
特許文献１に記載された照明システムは、サーカディアンリズムに基づいて光源の色温度及び照度を制御しているに過ぎず、人体への生体作用効果と肌見えの良さとの両立について考慮した照明システムとはなっていない。
【０００８】
また、特許文献２に記載された照明装置は、人体への生体作用効果と肌見えの良さとの両立について考慮した照明装置とはなっていない。
【０００９】
本発明は上記事由に鑑みて為されたものであり、その目的は、サーカディアンリズムを整える生体作用効果と肌見えの良さとの両立が可能となる光源モジュール及び照明装置を提供することにある。
【課題を解決するための手段】
【００１０】
本発明の光源モジュールは、互いの発光スペクトルが異なる第１発光装置、第２発光装置及び第３発光装置を備える。前記第１発光装置は、第１固体発光素子と、前記第１固体発光素子から放射された光の一部を波長変換して異なる波長の光を放射する第１波長変換材料を含む第１波長変換部と、を備える。前記第２発光装置は、第２固体発光素子と、前記第２固体発光素子から放射された光の一部を波長変換して異なる波長の光を放射する第２波長変換材料を含む第２波長変換部と、を備える。前記第３発光装置は、第３固体発光素子と、前記第３固体発光素子から放射された光の一部を波長変換して異なる波長の光を放射する第３波長変換材料を含む第３波長変換部と、を備える。本発明の光源モジュールは、前記第１発光装置から出射される光と前記第２発光装置から出射される光とが合成された第１合成光の分光分布から下記（１）式で計算される、メラトニン分泌抑制効果を示す生体作用度（ＤＩＮ）が、少なくとも０．８５である。本発明の光源モジュールは、前記第１合成光の相関色温度が、５０００Ｋ以上７１００Ｋ以下である。本発明の光源モジュールは、前記第１合成光の分光分布から計算される、肌色の好ましさ指数（ＰＳ）が少なくとも６０である。本発明の光源モジュールは、前記第２発光装置から出射される光と前記第３発光装置から出射される光とが合成された第２合成光の分光分布から下記（１）式で計算される、メラトニン分泌抑制効果を示す生体作用度（ＤＩＮ）が、０．２５以下である。本発明の光源モジュールは、前記第２合成光の相関色温度が、２０００Ｋ以上３２５０Ｋ以下である。
【００１１】
【数１】
2015088241.tif 000003
【００１２】
ここで、Ｓ（λ）は、前記第１合成光又は前記第２合成光の分光分布、Ａ（λ）は、メラトニン分泌抑制の作用関数、Ｖ（λ）は、比視感度である。
【００１３】
この光源モジュールにおいて、前記第１合成光の相関色温度が、６０００Ｋ以上７１００Ｋ以下であることが好ましい。
【００１４】
この光源モジュールにおいて、前記第１合成光の前記ＰＳが、少なくとも８０であることが好ましい。
【００１５】
この光源モジュールにおいて、前記第１合成光の平均演色評価数Ｒａが、少なくとも８５であることが好ましい。
【００１６】
この光源モジュールにおいて、前記第１合成光の色度座標の黒体放射軌跡からの偏差（ｄuv）を１０００倍した値（ＤUV＝１０００ｄuv）が、−５から＋２の範囲であることが好ましい。
【００１７】
この光源モジュールにおいて、前記第１合成光の分光分布は、４００ｎｍ〜４７０ｎｍの範囲に第１のピーク波長を有し、４７１ｎｍ〜５５０ｎｍの範囲に第２のピーク波長を有し、５５１ｎｍ〜６７０ｎｍの範囲に第３のピーク波長を有し、前記第２のピーク波長と前記第３のピーク波長との間隔が８０ｎｍ〜１２０ｎｍの範囲であることが好ましい。
【００１８】
この光源モジュールにおいて、前記第２合成光の相関色温度が、２０００Ｋ以上２５００Ｋ以下であることが好ましい。
【００１９】
この光源モジュールにおいて、前記第２合成光の分光分布から計算される、肌色の好ましさ指数（ＰＳ）が少なくとも８０であることが好ましい。
【００２０】
この光源モジュールにおいて、前記第２合成光の平均演色評価数Ｒａが、少なくとも８０であることが好ましい。
【００２１】
この光源モジュールにおいて、前記第２合成光の色度座標の黒体放射軌跡からの偏差（ｄuv）を１０００倍した値（ＤUV＝１０００ｄuv）が、−５から＋２の範囲であることが好ましい。
【００２２】
この光源モジュールにおいて、前記第２合成光の分光分布は、４００ｎｍ〜４７０ｎｍの範囲に第１のピーク波長を有し、５５１ｎｍ〜６７０ｎｍの範囲に第２のピーク波長を有することが好ましい。
【００２３】
この光源モジュールにおいて、前記第１波長変換部は、前記第１波長変換材料と、可視光を透過する第１透光性材料と、の混合体で形成され、前記第１固体発光素子を覆っており、前記第２波長変換部は、前記第２波長変換材料と、可視光を透過する第２透光性材料と、の混合体で形成され、前記第２固体発光素子を覆っており、前記第３波長変換部は、前記第３波長変換材料と、可視光を透過する第３透光性材料と、の混合体で形成され、前記第２固体発光素子を覆っている、ことが好ましい。
【００２４】
この光源モジュールにおいて、前記第１固体発光素子、前記第２固体発光素子及び前記第３固体発光素子は、４００ｎｍ〜４７０ｎｍの範囲にピーク波長を有する発光ダイオードであることが好ましい。
【００２５】
この光源モジュールにおいて、前記第１波長変換材料は、４７１ｎｍ〜５５０ｎｍの範囲にピーク波長を有する青緑色蛍光体を含み、前記第２波長変換材料は、５５１ｎｍ〜６００ｎｍの範囲にピーク波長を有する黄緑色蛍光体と、５５１ｎｍ〜６７０ｎｍの範囲にピーク波長を有する赤色蛍光体と、を含み、前記第３波長変換材料は、６３０ｎｍ〜６７０ｎｍの範囲にピーク波長を有する赤色蛍光体を含むことが好ましい。
【００２６】
本発明の照明装置は、前記光源モジュールを複数、備える。本発明の照明装置は、電源から前記複数の前記光源モジュールへの供給電力を制御する制御部と、時刻を設定する時刻設定部と、前記時刻設定部により設定された時刻と前記制御部における制御内容との関係を規定したタイムスケジュールを記憶する記憶部と、時刻を計時する時計部と、を備える。前記時刻設定部で設定する時刻としては、起床時刻と、就寝時刻と、がある。前記制御部は、前記時計部により計時された現在の時刻と前記記憶部に記憶されているタイムスケジュールとに基づいて、前記時刻設定部で設定された起床時刻よりも所定時間だけ前の時刻から夕刻の間は主として前記第１合成光が出射されるように前記複数の前記光源モジュールを点灯させ、夕刻から前記時刻設定部で設定された就寝時刻までは主として前記第２合成光が出射されるように前記複数の前記光源モジュールを点灯させる。
【００２７】
この照明装置において、前記第１合成光と前記第２合成光との合成光が白色光であり、前記白色光は、相関色温度が２０００Ｋ以上７１００Ｋ以下であり、前記白色光の分光分布から計算される、肌色の好ましさ指数（ＰＳ）が少なくとも６０であり、平均演色評価数Ｒａが少なくとも８５であることが好ましい。
【００２８】
この照明装置において、前記白色光の前記ＰＳが少なくとも８０であることが好ましい。
【００２９】
この照明装置において、前記第１合成光のＤuvと前記第２合成光のＤuvとの一方が正の値で他方が負の値であることが好ましい。
【発明の効果】
【００３０】
本発明の光源モジュールにおいては、サーカディアンリズムを整えるためにメラトニン分泌を抑制する生体作用効果と肌見えの良さとの両立が可能となる。
【００３１】
本発明の照明装置においては、サーカディアンリズムを整える生体作用効果と肌見えの良さとの両立が可能となる。
【図面の簡単な説明】
【００３２】
【図１】図１は、実施形態１の光源モジュールの概略断面図である。
【図２】図２は、実施形態１の光源モジュールにおける第１発光装置の発光スペクトルである。
【図３】図３は、実施形態１の光源モジュールにおける第２発光装置の発光スペクトルである。
【図４】図４は、実施形態１の光源モジュールにおける第３発光装置の発光スペクトルである。
【図５】図５は、実施形態１の光源モジュールから出射される第１合成光の分光分布である。
【図６】図６は、実施形態１の光源モジュールから出射される第２合成光の分光分布である。
【図７】図７は、メラトニン分泌抑制の作用関数と、比視感度関数と、の説明図である。
【図８】図８は、実施形態２の照明装置の概略構成図である。
【図９】図９は、実施形態２の照明装置の合成光の色度軌跡の説明図である。
【図１０】図１０は、実施形態２の照明装置の合成光に関し、相関色温度が５００２Ｋの場合の分光分布である。
【図１１】図１１は、実施形態２の照明装置の合成光に関し、相関色温度が３９９０Ｋの場合の分光分布である。
【図１２】図１２は、実施形態２の照明装置の合成光に関し、相関色温度が２９９９Ｋの場合の分光分布である。
【図１３】図１３は、実施形態２の照明装置の動作説明図である。
【発明を実施するための形態】
【００３３】
（実施形態１）
以下では、本実施形態の光源モジュール１０について、図１〜７に基づいて説明する。
【００３４】
光源モジュール１０は、互いの発光スペクトルが異なる第１発光装置１、第２発光装置２及び第３発光装置３を備える。第１発光装置１は、第１固体発光素子１１と、第１固体発光素子１１から放射された光の一部を波長変換して異なる波長の光を放射する第１波長変換材料を含む第１波長変換部１２と、を備える。第２発光装置２は、第２固体発光素子２１と、第２固体発光素子２１から放射された光の一部を波長変換して異なる波長の光を放射する第２波長変換材料を含む第２波長変換部２２と、を備える。第３発光装置３は、第３固体発光素子３１と、第３固体発光素子３１から放射された光の一部を波長変換して異なる波長の光を放射する第３波長変換材料を含む第３波長変換部３２と、を備える。光源モジュール１０は、第１発光装置１から出射される光と第２発光装置２から出射される光とが合成された第１合成光の分光分布から下記（１）式で計算される、メラトニン分泌抑制効果を示す生体作用度（ＤＩＮ）が、少なくとも０．８５である。また、光源モジュール１０は、第１合成光の相関色温度が、５０００Ｋ以上７１００Ｋ以下であり、第１合成光の分光分布から計算される、肌色の好ましさ指数（Preference Index of Skin Color：ＰＳ）が少なくとも６０である。また、光源モジュール１０は、第２発光装置２から出射される光と第３発光装置３から出射される光とが合成された第２合成光の分光分布から下記（１）式で計算される、メラトニン分泌抑制効果を示す生体作用度（ＤＩＮ）が、０．２５以下である。また、光源モジュール１０は、第２合成光の相関色温度が、２０００Ｋ以上３２５０Ｋ以下である。
【００３５】
【数２】
2015088241.tif 000004
【００３６】
ここで、Ｓ（λ）は、第１合成光又は第２合成光の分光分布、Ａ（λ）は、メラトニン分泌抑制の作用関数、Ｖ（λ）は、比視感度である。
【００３７】
光源モジュール１０は、第１合成光のＤＩＮが０．８５以上、相関色温度が５０００Ｋ以上７１００Ｋ以下、ＰＳが６０以上、となるように構成され、第２合成光のＤＩＮが０．２５以下、相関色温度が２０００Ｋ以上３２５０Ｋ以下となるように構成されている。これにより、光源モジュール１０は、サーカディアンリズムを整える生体作用効果と肌見えの良さとの両立が可能となる。光源モジュール１０は、例えば、高齢者福祉施設の入居者の部屋やホスピタルの入院患者の病室に設置することができる。光源モジュール１０は、主として起床時から昼間における照明光として第１合成光を出射することにより、高齢者福祉施設の入居者やホスピタルの病室にいる入院患者のメラトニン分泌を抑制してサーカディアンリズムを整え、且つ肌見えの良い環境を演出可能となる。また、光源モジュール１０は、主として夕刻から夜間における消灯時刻前の照明光として第２合成光を出射することにより、入居者や入院患者のメラトニン分泌が妨げられるのを抑制してサーカディアンリズムを整える環境を提供可能となる。サーカディアンリズムとは、地球上に生息する人に行動や身体機能として現れる、２４時間に近い周期のリズムを意味する。２４時間に近い周期とは、２４±４時間又は２４±５時間の周期を意味する。
【００３８】
光源モジュール１０の各構成要素については、以下に、より詳細に説明する。
【００３９】
第１固体発光素子１１、第２固体発光素子２１及び第３固体発光素子３１は、発光ダイオード（light emitting diode：ＬＥＤ）により構成されている。第１固体発光素子１１、第２固体発光素子２１及び第３固体発光素子３１は、例えば、４００ｎｍ〜４７０ｎｍの範囲にピーク波長を有するＬＥＤにより構成することができる。つまり、第１固体発光素子１１、第２固体発光素子２１及び第３固体発光素子３１は、ピーク波長が４００ｎｍ〜４７０ｎｍの範囲内にある青色光を放射するＬＥＤにより構成することができる。
【００４０】
ＬＥＤは、青色光を放射するＬＥＤチップにより構成することができる。青色光を放射するＬＥＤチップとしては、例えば、窒化ガリウム系青色ＬＥＤチップを採用することができる。ＬＥＤは、例えば、ＬＥＤチップがパッケージに収納されたものでもよい。ＬＥＤは、パッケージに収納するＬＥＤチップの個数が１個でも複数でもよい。なお、第１固体発光素子１１、第２固体発光素子２１及び第３固体発光素子３１は、ＬＥＤに限らず、例えば、レーザダイオード（半導体レーザ）により構成してもよい。
【００４１】
ＬＥＤチップとしては、チップサイズが０．３ｍｍ□（０．３ｍｍ×０．３ｍｍ）や０．４５ｍｍ□（０．４５ｍｍ×０．４５ｍｍ）や１ｍｍ□（１ｍｍ×１ｍｍ）のもの等を用いることができる。また、ＬＥＤチップの平面形状は、正方形状に限らず、例えば、長方形状などでもよい。ＬＥＤチップは、平面形状が長方形状の場合、例えば、チップサイズが０．５ｍｍ×０．２４ｍｍのもの等を用いることができる。
【００４２】
第１固体発光素子１１、第２固体発光素子２１及び第３固体発光素子３１は、第１電極と、第２電極と、を備えている。第１固体発光素子１１、第２固体発光素子２１及び第３固体発光素子３１は、第１電極と第２電極とのうち一方がアノード電極、他方がカソード電極である。
【００４３】
光源モジュール１０は、第１固体発光素子１１、第２固体発光素子２１及び第３固体発光素子３１、が実装された実装基板１３を好適に備えている。実装基板１３は、第１固体発光素子１１、第２固体発光素子２１及び第３固体発光素子３１を実装する基板である。「実装する」とは、第１固体発光素子１１、第２固体発光素子２１及び第３固体発光素子３１を配置して機械的に接続すること及び電気的に接続することを含む概念である。
【００４４】
実装基板１３は、支持体１４と、支持体１４に支持され第１固体発光素子１１、第２固体発光素子２１及び第３固体発光素子３１が電気的に接続される配線部（図示せず）と、を備える。
【００４５】
配線部は、第１固体発光素子１１、第２固体発光素子２１及び第３固体発光素子３１それぞれに対応して、第１電極が電気的に接続される第１導体部と第２電極が電気的に接続される第２導体部との組を、３組、備えている。
【００４６】
支持体１４は、配線部を支持する機能を備えている。また、支持体１４は、第１固体発光素子１１、第２固体発光素子２１及び第３固体発光素子３１で発生する熱を効率良く外部に伝えるためのヒートシンク（heat sink）としての機能を備えているのが好ましい。このため、支持体１４は、放熱性を高めるという観点では熱伝導性が高い材料により形成されているのが好ましく、例えば、窒化アルミニウム基板により構成することができる。
【００４７】
支持体１４は、窒化アルミニウム基板に限らず、例えば、サファイア基板や、炭化ケイ素基板等により構成してもよい。また、支持体１４は、例えば、シリコン基板の表面に電気絶縁層を形成した構成としてもよいし、金属板の表面に適宜の材料からなる電気絶縁層を形成した構成としてもよい。金属板の材料は、熱伝導率の高い金属が好ましい。金属板の材料は、例えば、銅、アルミニウム、銀、鉄、アルミニウム合金、リン青銅、銅合金、ニッケル合金、コバール（Kovar）等を採用することができる。シリコン基板の表面に形成する電気絶縁層の材料は、例えば、ＳｉＯ2、Ｓｉ3Ｎ4等を採用することができる。
【００４８】
実装基板１３は、支持体１４が平板状に形成されている。実装基板１３は、支持体１４の形状が、平板状に限らず、例えば、第１固体発光素子１１、第２固体発光素子２１及び第３固体発光素子３１を収納する凹部が一面に形成されたものでもよい。
【００４９】
支持体１４の外周形状は、矩形状としてある。支持体１４の外周形状は、矩形状に限らず、例えば、矩形以外の多角形状や、円形状等でもよい。支持体１４の平面サイズは、第１固体発光素子１１、第２固体発光素子２１及び第３固体発光素子３１それぞれの平面サイズを合わせたサイズよりも大きく設定してある。
【００５０】
実装基板１３は、実装可能な第１固体発光素子１１、第２固体発光素子２１及び第３固体発光素子３１それぞれの個数を特に限定するものではない。例えば、実装基板１３は、第１固体発光素子１１、第２固体発光素子２１及び第３固体発光素子３１それぞれを複数個ずつ実装可能に構成されていてもよい。光源モジュール１０は、複数個の第１固体発光素子１１、複数個の第２固体発光素子２１、複数個の第３固体発光素子３１それぞれが直列接続された構成を有してもよいし、並列接続された構成を有してもよいし、直並列接続された構成を有してもよい。
【００５１】
第１発光装置１において、第１波長変換部１２は、第１波長変換材料と、可視光を透過する第１透光性材料との混合体で形成され、第１固体発光素子１１を覆っていることが好ましい。これにより、第１発光装置１は、第１固体発光素子１１としてＬＥＤチップを用いている場合等、第１波長変換部１２が、第１固体発光素子１１を封止する封止部を兼ねることが可能となる。
【００５２】
第２発光装置２において、第２波長変換部２２は、第２波長変換材料と、可視光を透過する第２透光性材料との混合体で形成され、第２固体発光素子２１を覆っていることが好ましい。これにより、第２発光装置２は、第２固体発光素子２１としてＬＥＤチップを用いている場合等、第２波長変換部２２が、第２固体発光素子２１を封止する封止部を兼ねることが可能となる。
【００５３】
第３発光装置３において、第３波長変換部３２は、第３波長変換材料と、可視光を透過する第３透光性材料との混合体で形成され、第３固体発光素子３１を覆っていることが好ましい。これにより、第３発光装置３は、第３固体発光素子３１としてＬＥＤチップを用いている場合等、第３波長変換部３２が、第３固体発光素子３１を封止する封止部を兼ねることが可能となる。
【００５４】
光源モジュール１０は、第１波長変換部１２、第２波長変換部２２及び第３波長変換部３２の形状を半球状としてある。第１波長変換部１２、第２波長変換部２２及び第３波長変換部３２の形状は、半球状に限らず、例えば、半楕円球状や直方体状の形状等でもよい。光源モジュール１０は、１個の第１波長変換部１２により１個の第１固体発光素子１１を覆っているが、これに限らず、１個の第１波長変換部１２により複数個の第１固体発光素子１１を覆うように構成してもよい。この場合、光源モジュール１０は、複数個の第１固体発光素子１１の配置に基づいて、第１波長変換部１２の形状を適宜変更すればよい。例えば、光源モジュール１０は、実装基板１３の平面形状が細長の長方形状であり、実装基板１３の長手方向に複数個の第１固体発光素子１１が配列されている場合、第１波長変換部１２を、複数個の第１固体発光素子１１を覆う半円柱状の形状とすることができる。また、光源モジュール１０は、１個の第２波長変換部２２により１個の第２固体発光素子２１を覆っているが、これに限らず、１個の第２波長変換部２２により複数個の第２固体発光素子２１を覆うように構成してもよい。また、光源モジュール１０は、１個の第３波長変換部３２により１個の第３固体発光素子３１を覆っているが、これに限らず、１個の第３波長変換部３２により複数個の第３固体発光素子３１を覆うように構成してもよい。
【００５５】
第１波長変換材料としては、第１固体発光素子１１から放射された光によって励起されて第１固体発光素子１１の発光色とは異なる色の光を放射する蛍光体等を用いることができる。第１透光性材料としては、シリコーン樹脂を用いているが、これに限らず、例えば、アクリル樹脂、ガラス、有機・無機ハイブリッド材料等を用いることもできる。
【００５６】
第１発光装置１からから出射される光とは、第１固体発光素子１１から放射され第１波長変換部１２において波長変換されずに第１波長変換部１２から出射する光と、第１波長変換材料で波長変換されて第１波長変換部１２から出射する光と、の混色光を意味する。
【００５７】
第２波長変換材料としては、第２固体発光素子２１から放射された光によって励起されて第２固体発光素子２１の発光色とは異なる色の光を放射する蛍光体等を用いることができる。第２透光性材料としては、シリコーン樹脂を用いているが、これに限らず、例えば、アクリル樹脂、ガラス、有機・無機ハイブリッド材料等を用いることもできる。
【００５８】
第２発光装置２からから出射される光とは、第２固体発光素子２１から放射され第２波長変換部２２において波長変換されずに第２波長変換部２２から出射する光と、第２波長変換材料で波長変換されて第２波長変換部２２から出射する光と、の混色光を意味する。
【００５９】
第３波長変換材料としては、第３固体発光素子３１から放射された光によって励起されて第３固体発光素子３１の発光色とは異なる色の光を放射する蛍光体等を用いることができる。第１透光性材料としては、シリコーン樹脂を用いているが、これに限らず、例えば、アクリル樹脂、ガラス、有機・無機ハイブリッド材料等を用いることもできる。
【００６０】
第３発光装置３からから出射される光とは、第３固体発光素子３１から放射され第３波長変換部３２において波長変換されずに第３波長変換部３２から出射する光と、第３波長変換材料で波長変換されて第３波長変換部３２から出射する光と、の混色光を意味する。
【００６１】
光源モジュール１０は、第１発光装置１、第２発光装置２及び第３発光装置３の互いの発光スペクトルが異なる。図２は、第１発光装置１の発光スペクトルの一例を示す。図３は、第２発光装置２の発光スペクトルの一例を示す。図４は、第３発光装置３の発光スペクトルの一例を示す。図５は、光源モジュール１０から出射される第１合成光の分光分布の一例を示す。図６は、光源モジュール１０から出射される第２合成光の分光分布の一例を示す。
【００６２】
光源モジュール１０は、第１合成光のＤＩＮが０．８５以上であり、第２合成光のＤＩＮが０．２５以下である。上述の（１）式の右辺の分母及び分子における積分波長範囲は、可視光の波長範囲とすればよく、例えば、３８０ｎｍ〜７８０ｎｍとすることができる。よって、（１）式は、下記（２）式のように表すことができる。
【００６３】
【数３】
2015088241.tif 000005
【００６４】
Ｓ（λ）は、第１合成光又は第２合成光の分光分布である。λは、波長である。Ｓ（λ）は、分光分布の最大値を基準にとって分光分布を相対的に表したものでもよい。分光分布及び相対分光分布については、例えば、ＪＩＳ  Ｚ８１１３：１９９８やＩＥＣ  ６００５０−８４５等において定義されている。
【００６５】
Ａ（λ）は、メラトニン分泌抑制の作用関数である。メラトニン分泌抑制の作用関数は、メラトニン分泌を抑制し、生体リズムの調整や生体の覚醒を促す作用効果曲線であり、図７に実線で示すような曲線である。λは、波長である。メラトニン分泌抑制の作用関数Ａ(λ)は、略４００ｎｍ〜略６００ｎｍの範囲において上に凸の曲線となり、波長λが４６４ｎｍの付近にピークを有する。メラトニン分泌抑制の作用関数は、例えば、参考文献１：G. C. Brainer著、「Action Spectrum for Melatonin Regulation in Humans: Evidence for a Novel Circadian Photoreceptor」、The Journal of Neuroscience、2001年8月15日、21(16)、pp.6405-6412）等に記載されている。標準比視感度曲線は、図７に一点鎖線で示すような曲線である。
【００６６】
Ｖ（λ）は、比視感度である。λは、波長である。比視感度については、例えば、ＪＩＳ  Ｚ８１１３：１９９８やＩＥＣ  ６００５０−８４５等において定義されている。比視感度は、明所視のＣＩＥ標準比視感度を用いるのが好ましい。
【００６７】
可視光の波長範囲の短波長限界は、３６０ｎｍ〜４００ｎｍの範囲にある。また、可視光の波長範囲の長波長限界は、７６０ｎｍ〜８３０ｎｍの範囲にある。このため、積分波長範囲は、３６０ｎｍ〜８３０ｎｍとしてもよい。
【００６８】
光源モジュール１０は、第１合成光のＤＩＮが大きいほど、照明空間にいる人のメラトニン分泌を抑制することが可能となる。照明空間とは、光源モジュール１０からの第１合成光や第２合成光により照明される空間である。照明空間としては、例えば、高齢者福祉施設の入居者の部屋やホスピタルの入院患者の病室等がある。
【００６９】
光源モジュール１０は、第１合成光の相関色温度が、５０００Ｋ以上７１００Ｋ以下である。相関色温度は、光源（ここでは、光源モジュール１０）の光色を表すものとして使用されるもので、その光源のｕｖ色度座標に最も近い色度座標をもつ黒体放射の絶対温度として定義される。相関色温度は、ＪＩＳ  Ｚ８１１３：１９９８やＩＥＣ  ６００５０−８４５等で定義されている。相関色温度は、例えば、ＪＩＳ  Ｚ８７２５：１９９９で規定されている相関色温度の測定方法に従って求める値である。光源の色度座標から最も近い黒体放射のもつ色度座標は、ＣＩＥ  １９６０  ＵＣＳ（uniform-chromaticity-scale）色度座標において光源の色度座標の点から、黒体放射軌跡に垂線を下したときの交点として求められる。５０００Ｋは、ＪＩＳ  Ｚ９１１２：２００４等で定義される昼白色の相関色温度の範囲（４６００Ｋ〜５５００Ｋ）における代表的な相関色温度である。７１００Ｋは、ＪＩＳ  Ｚ９１１２：２００４等で定義される昼光色の相関色温度の上限であり、また、ＩＥＣ  ６００５０等で定義される常用光源Ｄ65として用いる蛍光ランプの相関色温度の上限である。
【００７０】
光源モジュール１０は、第１合成光の相関色温度が、６０００Ｋ以上７１００Ｋ以下であるのが好ましい。これにより、光源モジュール１０は、第１合成光のＤＩＮの下限値をより高くすることが可能となる。６０００Ｋは、晴天昼光の色温度である。
【００７１】
光源モジュール１０は、第１合成光の肌色の好ましさ指数であるＰＳが６０以上である。よって、光源モジュール１０は、第１合成光を、主として起床時から昼間における照明光とすれば、高齢者福祉施設の入居者やホスピタルの病室にいる入院患者のメラトニン分泌を抑制してサーカディアンリズムを整え、且つ肌見えの良い環境を演出可能となる。
【００７２】
ＰＳは、肌色の好ましさを示す値である。ＰＳは、参考文献２〔橋本  健次郎  他、“照明光下での日本人女性の肌色に対する好ましさの評価方法”、照明学会誌、Vol.82、No.11、p895、１９９８年〕や参考文献３〔特開平１１−２５８０４７号公報〕の開示プロセスに準じて導出できる。すなわち、ＰＳは、上記参考文献２、３に記載された計算手順において、照明ランプの分光分布、色度座標の代わりに、光源モジュール１０の第１合成光又は第２合成光の分光分布、色度座標それぞれを使用し、導出できる。要するに、ＰＳの計算手順では、肌色の好ましさに関する算出評価値Ｐを求めた後に、ＰＳ＝４×５Ｐの計算式を用いてＰＳを算出することができる。肌色の好ましさ指数とは、上述のように肌色の好ましさを示す値であるが、言い換えれば、人の肌の色見えの好ましさを示す値である。
【００７３】
光源モジュール１０は、第１合成光のＰＳが、少なくとも８０であることが好ましい。ＰＳは、標準光源Ｄ65の光での値を８０と規定されている。したがって、光源モジュール１０は、第１合成光のＰＳが８０以上であることにより、入院患者等に対して、標準光源Ｄ65の光と同等以上に肌の色を好ましく見せることが可能となる。
【００７４】
光源モジュール１０は、第１合成光の平均演色評価数Ｒａが、少なくとも８５であることが好ましい。これにより、光源モジュール１０は、第１合成光の平均演色評価数Ｒａが８５以上であるので、第１合成光の演色性が高いことで、様々な物の色見えを自然な色合いにすることが可能となる。よって、光源モジュール１０は、高齢者福祉施設の入居者やホスピタルの病室にいる入院患者等に違和感を与えない照明環境を提供することが可能となる。平均演色評価数Ｒａは、例えば、ＪＩＳ  Ｚ８７２６−１９９０で規定されている計算手順に従って求める値である。
【００７５】
光源モジュール１０は、第１合成光の色度座標の黒体放射軌跡からの偏差（ｄuv）を１０００倍した値（ＤUV＝１０００ｄuv）が、−５から＋２の範囲であることが好ましい。
【００７６】
ＤUVは、ＪＩＳ  Ｚ８７２５−１９９９で定義されている。ＤUVは、ＣＩＥ  １９６０  ＵＣＳ色度座標の黒体放射軌跡からの偏差を下記（３）式で表した値であるｄUVを１０００倍した値（ＤUV＝１０００ｄUV）である。ｄUV及びＤUVは、光源（ここでは、光源モジュール１０）の色度座標が黒体放射軌跡の上側にあるときは正の値をとり、下側にあるときは負の値をとる。
ｄUV＝±{（ｕs−ｕ0）2＋（ｖs−ｖ0）2}1/2          （３）式
ここで、ｕs，ｖsは、光源のＣＩＥ  １９６０  ＵＣＳ色度座標である。また、ｕ0，ｖ0は、ＣＩＥ  １９６０  ＵＣＳ色度図上で、光源の色度座標に最も近い、黒体放射軌跡上の点の座標である。
【００７７】
光源モジュール１０は、第１合成光のＤUVが−５から＋２の範囲である光色を有することにより、青みがかった白色光や赤みがかった白色光となるのを抑制することが可能となる。
【００７８】
光源モジュール１０の第１合成光の分光分布は、４００ｎｍ〜４７０ｎｍの範囲に第１のピーク波長を有し、４７１ｎｍ〜５５０ｎｍの範囲に第２のピーク波長を有し、５５１ｎｍ〜６７０ｎｍの範囲に第３のピーク波長を有するのが好ましい。また、第１合成光の分光分布は、第２のピーク波長と第３のピーク波長との間隔が８０ｎｍ〜１２０ｎｍの範囲であることが好ましい。これにより、光源モジュール１０は、第１合成光として、青色光と青緑色光と赤色光とが合成された白色光を放射することが可能となる。よって、光源モジュール１０は、窒化ガリウム系青色ＬＥＤチップと黄色蛍光体とを組み合わせた比較例の光源モジュールに比べて、白色光の演色性を高めることが可能となる。要するに、光源モジュール１０は、第１合成光として、比較例の光源モジュールに比べて、自然光に近い白色光を放射することが可能となる。光源モジュール１０は、第１のピーク波長、第２のピーク波長及び第３のピーク波長と、これら各ピーク波長での強度の相対比と、を適宜設定することにより、ＤＩＮが０．８５以上、且つ、相関色温度が５０００Ｋ以上７１００Ｋ以下、且つ、ＰＳが６０以上、となる第１合成光を出射するように構成することが可能となる。
【００７９】
第１発光装置１において、第１波長変換材料は、４７１ｎｍ〜５５０ｎｍの範囲にピーク波長を有する青緑色蛍光体を含むことが好ましい。青緑色蛍光体は、第１固体発光素子１１から放射された青色光によって励起されて青緑色光を放射することができる蛍光体である。第２発光装置２において、第２波長変換材料は、５５１ｎｍ〜６００ｎｍの範囲にピーク波長を有する黄緑色蛍光体と、５５１ｎｍ〜６７０ｎｍの範囲にピーク波長を有する赤色蛍光体と、を含むことが好ましい。黄緑色蛍光体は、第２固体発光素子２１から放射された青色光によって励起されて黄緑色光を放射することができる蛍光体である。赤色蛍光体は、第２固体発光素子２１から放射された青色光によって励起されて赤色光を放射することができる蛍光体である。第３発光装置３において、第３波長変換材料は、６３０ｎｍ〜６７０ｎｍの範囲にピーク波長を有する赤色蛍光体を含むことが好ましい。赤色蛍光体は、第３固体発光素子３１から放射された青色光によって励起されて赤色光を放射することができる蛍光体である。よって、光源モジュール１０は、白色光の演色性を高めることが可能となる。
【００８０】
第１波長変換材料の青緑色蛍光体としては、例えば、ハロシリケート系蛍光体を用いることができる。ハロシリケート系蛍光体としては、例えば、Ｅｕで付活された（Ｃａ，Ｅｕ）8Ｍｇ（ＳｉＯ4）4Ｃｌ2等を用いることができる。第２波長変換材料の黄緑色蛍光体としては、例えば、Ｃｅで付活されたＹＡＧ（Yttrium Aluminum Garnet）等を用いることができる。第２波長変換材料の赤色蛍光体としては、例えば、Ｅｕで付活された（Ｃａ，Ｓｒ）ＡｌＳｉＮ3（一般的に、「ＳＣＡＳＮ」と呼ばれている。）等を用いることができる。第３波長変換材料の赤色蛍光体としては、例えば、Ｅｕで付活されたＣａＡｌＳｉＮ3（一般的に、「ＣＡＳＮ」と呼ばれている。）等を用いることができる。
【００８１】
光源モジュール１０は、上述のように第２合成光のＤＩＮが０．２５以下である。光源モジュール１０は、第２合成光のＤＩＮが小さいほど、第２合成光により照明される照明空間にいる人のメラトニン分泌が妨げられるのを抑制することが可能となる。照明空間にいる人としては、例えば高齢者福祉施設の入居者やホスピタルの入院患者を想定している。
【００８２】
光源モジュール１０は、第２合成光の相関色温度が、２０００Ｋ以上３２５０Ｋ以下である。３２５０Ｋは、ＪＩＳ  Ｚ９１１２：２００４等で定義される電球色の相関色温度の上限である。２０００Ｋについては、ＪＩＳ  Ｚ８１１３：１９９８やＩＥＣ  ６００５０−８４５で定義されていないが、ろうそくの火の色温度が２０００Ｋ程度である。
【００８３】
光源モジュール１０は、第２合成光の相関色温度が、２０００Ｋ以上２５００Ｋ以下であることが好ましい。これにより、光源モジュール１０は、第２合成光のＤＩＮの上限値をより低くすることが可能となる。２５００Ｋについては、ＪＩＳ  Ｚ８１１３：１９９８やＩＥＣ  ６００５０−８４５で定義されていないが、夕日の色温度が２５００Ｋ程度である。なお、ＪＩＳ  Ｚ９１１２：２００４等で定義される電球色の相関色温度の下限は、２６００Ｋである。
【００８４】
光源モジュール１０は、第２合成光の分光分布から計算される、肌色の好ましさ指数（Preference Index of Skin Color：ＰＳ）が８０以上であるのが好ましい。これにより、光源モジュール１０は、第２合成光を、主として夕刻から夜間における消灯時刻前の照明光とすれば、入居者や入院患者のメラトニン分泌が妨げられるのを抑制してサーカディアンリズムを整え、且つ肌の色見えの良い環境を演出可能となる。
【００８５】
光源モジュール１０は、第２合成光の平均演色評価数Ｒａが、少なくとも８０であることが好ましい。光源モジュール１０は、第２合成光の平均演色評価数Ｒａが８０以上であるので、第２合成光の演色性が高いことで、様々な物の色見えを自然な色合いにすることが可能となる。よって、光源モジュール１０は、高齢者福祉施設の入居者やホスピタルの病室にいる入院患者等に違和感を与えない照明環境を提供することが可能となる。
【００８６】
光源モジュール１０は、第２合成光の色度座標の黒体放射軌跡からの偏差（ｄuv）を１０００倍した値（ＤUV＝１０００ｄuv）が、−５から＋２の範囲であることが好ましい。
【００８７】
光源モジュール１０は、第２合成光のＤUVが−５から＋２の範囲である光色を有することにより、青みがかった白色光や赤みがかった白色光となるのを抑制することが可能となる。
【００８８】
光源モジュール１０の第２合成光の分光分布は、４００ｎｍ〜４７０ｎｍの範囲に第１のピーク波長を有し、５５１ｎｍ〜６７０ｎｍの範囲に第２のピーク波長を有するのが好ましい。これにより、光源モジュール１０は、第１のピーク波長及び第２のピーク波長と、これら各ピーク波長での強度の相対比と、を適宜設定することによって、ＤＩＮが０．２５以下、且つ、相関色温度が２０００Ｋ以上３２５０Ｋ以下となる第２合成光を出射するように構成することが可能となる。
【００８９】
上述の図５は、光源モジュール１０の一実施例における第１合成光の分光分布を示したものである。また、上述の図６は、光源モジュール１０の上記一実施例における第２合成光の分光分布を示したものである。上記一実施例では、第１固体発光素子１１、第２固体発光素子２１及び第３固体発光素子３１としてピーク波長が４５０ｎｍの青色ＬＥＤチップを用いた。また、上記一実施例では、第１波長変換材料として、ピーク波長が５１２ｎｍの青緑色蛍光体を用いた。また、上記一実施例では、第２波長変換材料として、ピーク波長が５４３ｎｍの黄緑色蛍光体、ピーク波長が６３０ｎｍの赤色蛍光体を用いた。上記一実施例では、第３波長変換材料として、ピーク波長が６５０ｎｍの赤色蛍光体を用いた。
【００９０】
上記一実施例の光源モジュール１０は、第１合成光の分光分布における第１のピーク波長の強度よりも第２のピーク波長の強度が低く、第２のピーク波長の強度よりも第３のピーク波長の強度が低くなるように構成されている。また、上記一実施例の光源モジュール１０は、第２合成光の分光分布における第１のピーク波長の強度よりも第２のピーク波長の強度が高くなるように構成されている。
【００９１】
下記表１は、上記一実施例の光源モジュール１０の構成及び特性をまとめたものである。
【００９２】
【表１】
2015088241.tif 000006
【００９３】
光源モジュール１０は、例えば、高齢者福祉施設の入居者の部屋やホスピタルの入院患者の病室に設置して使用することができる。この場合、光源モジュール１０は、例えば、入居者や入院患者に対して、起床時から昼間にかけて、メラトニン分泌が抑制されるような第１合成光を出射させることにより、サーカディアンリズムを整えるのにより適した環境を提供可能となる。また、光源モジュール１０は、夕刻から夜間における消灯時刻前にかけて、第２合成光を出射させることにより、入居者や入院患者のメラトニン分泌が妨げられるのを抑制してサーカディアンリズムを整え、且つ肌の色見えの良い環境を演出可能となる。光源モジュール１０は、第２合成光の分光分布において、可視光域の短波長側の青色光の強度を減少させることで、メラトニン分泌が妨げられるのを抑制することが可能となる。
【００９４】
上述の説明から分かるように、光源モジュール１０は、第１発光装置１と第２発光装置２との組み合わせで所望の第１合成光を得ることができ、第２発光装置２と第３発光装置３との組み合わせで所望の第２合成光を得ることができる。このため、光源モジュール１０は、所望の第１合成光と所望の第２合成光とでそれぞれ専用の光源モジュールを製造する場合に比べて、低コスト化を図ることが可能となる。
【００９５】
光源モジュール１０は、第１発光装置１、第２発光装置２及び第３発光装置３を備えていればよく、例えば、これらとは発光スペクトルの異なる第４発光装置（図示せず）を更に備えていてもよい。要するに、光源モジュール１０は、互いの発光スペクトルが異なる複数の発光装置を備え、これら複数の発光装置のうちの２つ以上の発光装置の組み合わせで所望の第１合成光と所望の第２合成光とを得ることができるように構成されていればよい。
【００９６】
（実施形態２）
以下では、本実施形態の照明装置５について図８に基づいて説明する。なお、実施形態１と同様の構成要素については、同一の符号を付して説明を省略する。
【００９７】
照明装置５は、光源モジュール１０を複数、備える。また、照明装置５は、電源５３から複数の光源モジュール１０への供給電力を制御する制御部５４を備える。更に、照明装置５は、時刻を設定する時刻設定部５５と、時刻設定部５５により設定された時刻と制御部５４における制御内容との関係を規定したタイムスケジュールを記憶する記憶部５６と、時刻を計時する時計部５７と、を備える。時刻設定部５５で設定する時刻としては、起床時刻と、就寝時刻と、がある。制御部５４は、時計部５７により計時された現在の時刻と記憶部５６に記憶されているタイムスケジュールとに基づいて、時刻設定部５５で設定された起床時刻よりも所定時間だけ前の時刻から夕刻の間は主として第１合成光が出射されるように複数の光源モジュール１０を点灯させる。また、制御部５４は、時計部５７により計時された現在の時刻と記憶部５６に記憶されているタイムスケジュールとに基づいて、夕刻から時刻設定部５５で設定された就寝時刻までは主として第２合成光が出射されるように複数の光源モジュール１０を点灯させる。これにより、照明装置５は、サーカディアンリズムを整える生体作用効果と肌見えの良さとの両立が可能となる。要するに、照明装置５は、人体のサーカディアンリズムを整えるのにより適した環境を提供可能となる。照明装置５は、例えば、高齢者福祉施設の入居者やホスピタルの入院患者のサーカディアンリズムを整えるのにより適した環境を提供可能となる。
【００９８】
照明装置５の各構成要素については、以下に、より詳細に説明する。
【００９９】
照明装置５は、光源モジュール１０の第１発光装置１、第２発光装置２及び第３発光装置３の適宜の組み合わせで光が出射されるように構成されている。
【０１００】
照明装置５は、制御部５４が、複数の光源モジュール１０の各々における、第１発光装置１、第２発光装置２及び第３発光装置３それぞれの出力を調整することにより、光色及び相関色温度を調整することができる。
【０１０１】
照明装置５は、各光源モジュール１０が上記一実施例の場合、第１合成光と第２合成光とを合成した第３合成光の色度点を、図９に一点鎖線で示す色度軌跡Ｌ２上で変化させることが可能である。図９は、ｘｙ色度図上に、第１合成光の色度点をＰ１、第２合成光の色度点をＰ２として示してあり、色度点Ｐ１と色度点Ｐ２とを結ぶ直線を色度軌跡Ｌ２として示してある。また、図９中のＬ１で示した曲線は、黒体軌跡を示している。
【０１０２】
図１０、１１及び１２は、相関色温度が５００２Ｋ、３９９０Ｋ及び２９９９Ｋそれぞれの場合の分光分布を示す。図１０〜１２からは、相関色温度が低くなるほど、４５０ｎｍのピークに対する６３０ｎｍのピークの相対強度が大きくなっていることが分かる。４５０ｎｍのピークは、青色ＬＥＤチップから放射される青色光に由来するものである。６３０ｎｍのピークは、赤色蛍光体から放射される赤色光に由来するものである。
【０１０３】
下記表２は、第１合成光と第２合成光とを合成した第３合成光の特性例をまとめたものである。
【０１０４】
【表２】
2015088241.tif 000007
【０１０５】
表２からは、第１合成光の光色と第２合成光の光色との間の中間色においても、ＰＳ及び平均演色評価数Ｒａそれぞれに関して高い値を実現できていることが分かる。
【０１０６】
電源５３は、例えば、交流電源からの交流電圧を所定の直流電圧に変換して出力するＡＣ−ＤＣコンバータ等の電源回路により構成することができる。
【０１０７】
制御部５４は、例えば、第１〜第３のスイッチング素子（図示せず）と、第１〜第３スイッチング素子のオンオフをＰＷＭ（Pulse Width Modulation）制御するＰＷＭ制御回路と、を備えた構成とすることができる。第１スイッチング素子は、各第１発光装置１に対して直列的に接続される。第２スイッチング素子は、各第２発光装置２に対して直列的に接続される。第３スイッチング素子は、各第３発光装置３に対して直列的に接続される。各スイッチング素子は、例えば、半導体スイッチ素子により構成することができる。半導体スイッチ素子としては、例えば、ＭＯＳＦＥＴ（metal oxide semiconductor field effect transistor）やバイポーラトランジスタ等を採用することができる。ＰＷＭ制御回路は、例えば、適宜のプログラムを搭載したマイクロコンピュータ等により構成することができる。
【０１０８】
時刻設定部５５は、人（例えば、入院患者、入院患者の家族、看護師等）が各種の時刻を設定するための操作部を備え、操作部の入力に応じた時刻を制御部５４に出力する。
【０１０９】
操作部としては、例えば、タッチパネルや、ロータリスイッチ等を用いることができるが、これらに限定するものではない。
【０１１０】
記憶部５６は、電気的に書き込み消去が可能なメモリにより構成することができる。メモリは、不揮発性メモリが好ましい。記憶部５６は、制御部５４との間で各種の情報を授受できる。記憶部５６には、時刻と各光源モジュール１０の制御内容とを対応付けたタイムスケジュール等が記憶されている。制御部５４は、時刻設定部５５により起床時刻が設定されたときに、その起床時刻よりも所定時間（以下、「第１の所定時間」ともいう。）だけ前の時刻を光源モジュール１０の点灯開始時刻として、記憶部５６に記憶させる。また、制御部５４は、時刻設定部５５により就寝時刻が設定されたときに、その就寝時刻よりも所定時間（以下、「第２の所定時間」ともいう。）だけ後の時刻を光源モジュール１０の消灯時刻として記憶させる。
【０１１１】
時計部５７は、例えば、原子時計（セシウム時計）、電波時計等により構成することができる。時計部５７は、上述のマイクロコンピュータにおいて、水晶発振子から出力される発振信号に従って時刻を計時するものでもよい。
【０１１２】
図１３は、照明装置５の動作の一例の説明図である。図１３は、上段が第１合成光の出力のタイムチャートであり、下段が第２合成光の出力のタイムチャートである。
【０１１３】
図１３では、起床時刻をｔ１、点灯開始時刻をｔ０、就寝時刻をｔ４としてある。また、図１３では、正午をｔ２、夕刻をｔ３、消灯時刻をｔ５としてある。なお、夕刻ｔ３については、記憶部５６が１年間の各日の日の入り時刻を夕刻として記憶している。また、第１所定時間は、５分としてあるが、特に限定するものではない。また、第２所定時間は、１０分としてあるが、特に限定するものではない。時刻設定部５５で設定する時刻は、起床時刻及び就寝時刻だけに限らない。
【０１１４】
照明装置５は、図１３に示すように、午前中に第１光源モジュール１０から第１合成光を出射させ、午後に第１合成光と第２合成光とを合成した第３合成光を出射させ、夜間に第２合成光を出射させる。照明装置５は、第１合成光及び第２合成光それぞれについて、点灯させる場合、出力を徐々に増加させ（フェードインさせ）、消灯させる場合、出力を徐々に低下させている（フェードアウトさせている）。
【０１１５】
照明装置５は、第１合成光と第２合成光との合成光（第３合成光）が白色光である。この白色光は、相関色温度が２０００Ｋ以上７１００Ｋ以下であり、この白色光の分光分布から計算される、肌色の好ましさ指数（ＰＳ）が少なくとも６０であり、平均演色評価数Ｒａが少なくとも８５であることが好ましい。これにより、照明装置５は、サーカディアンリズムを整える生体作用効果と肌の色見えの良さとの両立が可能となる。
【０１１６】
照明装置５は、前記白色光のＰＳが少なくとも８０であることが、より好ましい。これにより、照明装置５は、入院患者等に対して、標準光源Ｄ65の光と同等以上に肌の色を好ましく見せることが可能となる。
【０１１７】
照明装置５は、第１合成光のＤuvと第２合成光のＤuvとの一方が正の値で他方が負の値であることが好ましい。これにより、照明装置５は、第３合成光に関するＤuvの範囲をより狭くすることが可能となる。
【０１１８】
照明装置５は、複数の光源モジュール１０を備えているので、所望の第１合成光と所望の第２合成光とでそれぞれ専用の光源モジュールを用い、各専用の光源モジュールを複数ずつ備えている場合に比べて、低コスト化を図ることが可能となる。
【０１１９】
上述の実施形態１、２等において説明した各図は、模式的なものであり、各構成要素の大きさや厚さそれぞれの比が、必ずしも実際のものの寸法比を反映しているとは限らない。また、実施形態１、２等に記載した材料、数値等は、好ましいものを例示しているだけであり、それに限定するものではない。更に、本願発明は、その技術的思想の範囲を逸脱しない範囲で、構成に適宜変更を加えることが可能である。
【符号の説明】
【０１２０】
１  第１発光装置
２  第２発光装置
３  第３発光装置
５  照明装置
１０  光源モジュール
１１  第１固体発光素子
１２  第１波長変換部
１３  実装基板
２１  第２固体発光素子
２２  第２波長変換部
３１  第３固体発光素子
３２  第３波長変換部
５３  電源
５４  制御部
５５  時刻設定部
５６  記憶部
５７  時計部
【図１】
2015088241.tif 000009
【図２】
2015088241.tif 000010
【図３】
2015088241.tif 000011
【図４】
2015088241.tif 000012
【図５】
2015088241.tif 000013
【図６】
2015088241.tif 000014
【図７】
2015088241.tif 000015
【図８】
2015088241.tif 000016
【図９】
2015088241.tif 000017
【図１０】
2015088241.tif 000018
【図１１】
2015088241.tif 000019
【図１２】
2015088241.tif 000020
【図１３】
2015088241.tif 000021